(57)【特許請求の範囲】
【請求項１】
識別子を個別に有する複数のカメラ信号を入力する第１入力手段、
所望の第１暗証番号および所望の第１識別子を入力する第２入力手段、
前記第１暗証番号と前記第１識別子とに基づいて暗号を生成する生成手段、
所望のカメラ信号に前記暗号を付加する付加手段、
前記付加手段によって前記暗号が付加された前記所望のカメラ信号を含む前記複数のカメラ信号を記録媒体に記録する記録手段、
前記複数のカメラ信号を前記記録媒体から再生する再生手段、
第２識別子および第２暗証番号を入力する第３入力手段、
前記再生手段によって再生された前記複数のカメラ信号に含まれる前記所望のカメラ信号に付加された暗号を前記第２暗証番号に基づいて解読する解読手段、
前記再生手段によって再生された前記複数のカメラ信号のうち前記暗号の付加された前記所望のカメラ信号にマスクをかけるマスク手段、および
前記解読手段の解読結果に応じて前記マスク手段を不能化する不能化手段を備える、映像信号処理装置。
【請求項２】
前記生成手段は前記第１識別子を前記第１暗証番号によって符号化する符号化手段を含む、請求項１記載の映像信号処理装置。
【請求項３】
前記付加手段は、前記所望のカメラ信号の所定ラインを検出する検出手段、および前記所定ラインに前記暗号を付加する暗号付加手段を含む、請求項１または２記載の映像信号処理装置。
【請求項４】
前記解読手段は、前記所望のカメラ信号に付加された暗号を前記第２暗証番号によって復号化する復号化手段を含む、請求項１ないし３のいずれかに記載の映像信号処理装置。
【請求項５】
前記不能化手段は、前記復号化手段の出力を前記第２識別子と比較する比較手段、および前記比較手段の比較結果が一致を示すとき前記所望のカメラ信号の出力期間に前記マスク手段を不能化するマスク不能化手段を含む、請求項４記載の映像信号処理装置。
【請求項６】
前記識別子はカメラ番号である、請求項１ないし５のいずれかに記載の映像信号処理装置。
【請求項７】
複数のカメラ信号を記録媒体から再生する再生手段、
識別子および暗証番号を入力する入力手段、
前記再生手段によって再生された前記複数のカメラ信号の全部または一部のカメラ信号に付加された暗号を入力暗証番号に基づいて解読する解読手段、
前記再生手段によって再生された前記複数のカメラ信号のうち前記暗号の付加されたカメラ信号にマスクをかけるマスク手段、および
前記解読手段の解読結果に応じて前記マスク手段を不能化する不能化手段を備える、映像信号処理装置。
【発明の詳細な説明】
【０００１】
【産業上の利用分野】
この発明は映像信号処理装置に関し、特にたとえば複数のカメラ信号をビデオテープレコーダ（ＶＴＲ）によってテープ記録するために、その複数のカメラ信号を時分割多重する時分割多重回路およびＶＴＲの再生信号をモニタに分割表示させるマルチディスプレイ回路を備える、映像信号処理装置に関する。
【０００２】
【従来の技術】
従来のこの種の映像信号処理装置では、複数のカメラからのカメラ信号をテープに記録する場合、カメラ信号とともにカメラ情報（カメラ番号）が記録される。したがって、ＶＴＲから出力された再生信号はカメラ番号に基づいてモニタに分割表示されていた。
【０００３】
【発明が解決しようとする課題】
この従来技術では、再生時にはすべてのカメラ信号がモニタに出力されるため、たとえば金庫室に設置されたカメラの映像を簡単に見ることができる。したがって、金庫の開錠の方法がわかってしまうという問題があった。つまり、見せたくない映像をモニタに表示してしまうという問題があった。
【０００４】
それゆえに、この発明の主たる目的は、特定のカメラ信号の再生表示を制限できる、映像信号処理装置を提供することである。
【０００５】
【課題を解決するための手段】
第１の発明は、識別子を個別に有する複数のカメラ信号を入力する第１入力手段、所望の第１暗証番号および所望の第１識別子を入力する第２入力手段、第１暗証番号と第１識別子とに基づいて暗号を生成する生成手段、所望のカメラ信号に暗号を付加する付加手段、付加手段によって暗号が付加された所望のカメラ信号を含む複数のカメラ信号を記録媒体に記録する記録手段、複数のカメラ信号を記録媒体から再生する再生手段、第２識別子および第２暗証番号を入力する第３入力手段、第２識別子に対応する特定カメラ信号を再生手段によって再生された複数のカメラ信号から検出する特定カメラ信号検出手段、特定カメラ信号に付加された暗号を第２暗証番号に基づいて解読する解読手段、再生手段によって再生された複数のカメラ信号のうち暗号の付加された所望のカメラ信号にマスクをかけるマスク手段、および解読手段の解読結果に応じてマスク手段を不能化する不能化手段を備える、映像信号処理装置である。
【０００６】
第２の発明は、複数のカメラ信号を記録媒体から再生する再生手段、識別子および暗証番号を入力する入力手段、再生手段によって再生された複数のカメラ信号の全部または一部のカメラ信号に付加された暗号を入力暗証番号に基づいて解読する解読手段、再生手段によって再生された複数のカメラ信号のうち暗号の付加されたカメラ信号にマスクをかけるマスク手段、および解読手段の解読結果に応じてマスク手段を不能化する不能化手段を備える、映像信号処理装置である。
【０００７】
【作用】
第１の発明の映像信号処理装置では、第１入力手段が識別子を個別に有する複数のカメラ信号を入力する。また、第２入力手段が所望の第１暗証番号および所望の第１識別子を入力する。生成手段は、第１暗証番号と第１識別子とに基づいて暗号を生成する。付加手段は、生成された暗号を所望のカメラ信号に付加する。記録手段は、複数のカメラ信号を記録媒体に記録する。つまり、暗号が付加された所望のカメラ信号を含む複数のカメラ信号が記録される。また、映像信号処理装置には再生手段が設けられ、再生手段が記録媒体に記録された複数のカメラ信号を再生する。第３入力手段で第２識別子および第２暗証番号が入力される。解読手段は、再生手段によって再生された複数のカメラ信号に含まれる所望のカメラ信号に付加された暗号を第２暗証番号に基づいて解読する。マスク手段は、再生手段によって再生された複数のカメラ信号のうち暗号の付加された所望のカメラ信号にマスクをかけ、解読手段の解読結果に応じてマスク手段を不能化する。つまり、誤った暗証番号が入力された場合には、カメラ信号にマスクがかけられる。
【０００８】
この発明の或る局面では、生成手段は符号化手段を含み、符号化手段は識別子を暗証番号によって符号化する。つまり、符号化された暗号がカメラ信号に付加される。
【０００９】
この発明の或る実施例では、付加手段は検出手段および暗号付加手段を含み、検出手段は所定のカメラ信号の所定ラインを検出する。そして、暗号付加手段は検出した所定ラインに暗号を付加する。つまり、所定ラインに暗号が付加されたカメラ信号が記録される。
【００１１】
この発明のその他の実施例では、解読手段は復号化手段を含み、復号化手段は特定カメラ信号に付加された暗号を入力暗証番号によって復号化する。したがって、入力暗証番号が正しい場合には、記録時に第２入力手段で入力された識別子が復号される。
【００１２】
この発明のさらに他の実施例では、不能化手段は比較手段およびマスク不能化手段を含む。比較手段は復号化手段の出力を入力識別子と比較し、マスク不能化手段は比較結果が一致を示すとき、カメラ信号の出力期間にマスク手段を不能化する。つまり、暗証番号が正しい場合のみ、カメラ信号が出力される。
【００１３】
この発明のさらにまた他の実施例では、識別子はカメラ番号である。つまり、第２入力手段および第３入力手段ではカメラ番号が入力される。
【００１４】
第２の発明の映像信号処理装置では、再生手段が複数のカメラ信号を記録媒体から再生する。入力手段は識別子および暗証番号を入力する。解読手段は、再生手段によって再生された複数のカメラ信号の一部または全部のカメラ信号に付加された暗号を入力暗証番号に基づいて解読する。マスク手段は複数のカメラ信号のうち暗号の付加されたカメラ信号にマスクをかける。つまり、不能化手段は解読手段の解読結果に応じてマスク手段を不能化する。このように、誤った暗証番号が入力された場合には、カメラ信号にマスクがかけられる。
【００１５】
【発明の効果】
この発明によれば、暗号の解読結果に基づいてカメラ信号にマスクをかけるので、所望のカメラ信号のみをモニタに出力することができる。逆にいえば、特定のカメラ信号の再生表示を制限することができる。
【００１６】
この発明の上述の目的，その他の目的，特徴および利点は、図面を参照して行う以下の実施例の詳細な説明から一層明らかとなろう。
【００１７】
【実施例】
図１を参照して、この実施例の映像信号処理装置１０はビデオスイッチ１２を含む。ビデオスイッチ１２はマイコン１４の制御に従って２フィールドずつ接続を切り換え、端子Ｓ１〜Ｓ４から入力されるカメラ信号１〜４の一部または全部を２フィールドずつ選択する。ビデオスイッチ１２からのカメラ信号は、Ａ／Ｄ変換器１６を介してフィールドメモリ１８に与えられる。ビデオスイッチ１２から出力される２フィールド分のカメラ信号には必ず１フィールド分のカメラ信号がそっくり含まれるため、その１フィールド分のカメラ信号がフィールドメモリ１８に一旦蓄積され、その後読み出される。このようにして、カメラ信号が１フィールド毎に時分割多重された時分割多重カメラ信号が生成される。なお、マイコン１４はオペレータからの指示に従ってビデオスイッチ１２を制御する。このため、オペレータがたとえばカメラ信号１および３を記録することを要求する場合には、マイコン１４はカメラ信号１および３が２フィールドずつ交互に選択されるようにビデオスイッチ１２を制御する。
【００１８】
フィールドメモリ１８から出力された時分割多重カメラ信号は同期分離回路２０に与えられ、これによって時分割多重カメラ信号に含まれる複合同期信号が検出される。この複合同期信号は、タイミング信号としてマイコン１４に与えられる。マイコン１４は、垂直帰線消去期間を含む所定ライン（この実施例では１６〜２７ライン）に多重するための１３ビットのコードおよびイネーブル信号をレジスタ２２に与える。図２に示すように、それぞれのラインに多重する１３ビットのコードには、５ビットのヘッダおよびカメラに関する８ビットのデータが含まれる。
【００１９】
マイコン１４にはまた、操作パネル２４が接続される。オペレータが操作パネル２４に設けられたカメラ番号を選択する選択キー２４ａを操作して、カメラ信号１〜４（カメラ番号１〜４）から暗号化するカメラ番号を選択する。続いて操作パネル２４に設けられたテンキー２４ｂを操作して、暗証番号が入力される。マイコン１４は、入力された暗証番号に基づいてカメラ番号を暗号化する。マイコン１４は暗号化されたカメラ番号および他のカメラ情報を符号化し、符号化されたたカメラ番号および他のカメラ情報（コード）をレジスタ２２に出力し、レジスタ２２に保持されたコードが所定のタイミングでコード多重回路２６に与えられる。コード多重回路２６は、図３に示すように、フィールドメモリ１８から出力されたカメラ信号の所定ラインにコードを多重する。なお、選択したそれぞれのカメラ番号に対応して暗証番号を設定することができる。また、選択したすべてのカメラ番号に同じ暗証番号を設定するようにしてもよい。
【００２０】
具体的には、コードに含まれるヘッダ（１００１０〜１１０１０）は、それぞれのラインを示す。それぞれのラインに多重されるデータについて詳しく説明すると、１６および１７ラインには、“年”，“月”，“日”および“時刻”に対応する“００”，“０１”，“１０”または“１１”の２ビットのデータが多重され、実際の年・月・日および時刻に関する６ビットのデータが多重される。また、１８および１９ラインには、分に関する６ビットのデータが多重される。なお、１８および１９ラインに多重されるコードの１２，１３ビット目には、タイムラプスＶＴＲでカメラ信号１〜４を記録した場合に必要となるデータが多重される。
【００２１】
さらに、２０および２１ラインには、秒に関する６ビットのデータ、カラーまたは白黒に対応する“１”または  “０”の１ビットのデータおよび暗証番号の有無に対応する“１”または“０”の１ビットのデータが多重される。さらにまた、２２および２３ラインには、カメラ番号１〜４に対応する“００００”、“０００１”、“００１０”または“００１１”の４ビットのデータ、暗証番号を入力したときに必要となる場合がある１ビットのデータ、アラームの有無に対応する“０  ”または“１”の１ビットのデータ、奇数（ＯＤＤ）フィールドまたは偶数（ＥＶＥＮ）フィールドに対応する“１”または“０”の１ビットのデータ、そして暗証番号と符号化されたカメラ番号との同期をとるための最上位ビット（１ビット）に対応する“１”または“０”の１ビットのデータが多重される。なお、カメラ番号を符号化したときに桁が繰り上がる場合があるので、１０ビット目が設けられる。したがって、暗証番号が入力されない場合、１０ビット目には“０”が入力される。
【００２２】
また、２４および２５ラインには、タイトル文字のカメラ番号１〜４に対応する“００００”、“０００１”、“００１０”または“００１１”の４ビットのデータ、そしてタイトル文字の順番に関するデータが多重される。さらに、２６および２７ラインには、タイトル文字のコードが多重される。なお、タイトル文字とは８文字のカメラ番号をいい、たとえばカメラ信号１の場合には“ＣＡＭＥＲＡ−１”に対応するデータが多重される。
【００２３】
カメラ信号の記録時にオペレータが操作パネル２４に設けられたテンキーで暗証番号を入力すると、マイコン１４は入力された暗証番号でカメラ番号を符号化する。たとえば、カメラ信号３に対して暗証番号“１６８４”が入力された場合、カメラ番号“３”には１フィールド毎に暗証番号が１桁ずつ加算され、符号化された後のカメラ番号は“４”、“９”、“１１”および“７”となる。つまり、実際に多重されるカメラ番号は“０１００”、“１００１”、“１０１１”および“０１１１”に符号化され、この順番で繰り返し２２および２３ラインの６〜１１ビットに多重される。また、２０および２１ラインに多重されるコードの１３ビット目は、暗証番号の最上位ビット“４”に該当するカメラ番号が入力されている場合に“１”となる。このように、暗証番号によりカメラ番号は符号化される。なお、暗証番号はすべてのカメラ信号１〜４に入力してもよい。また、それぞれのカメラ信号１〜４に異なる暗証番号を入力してもよい。
【００２４】
コードが多重されたカメラ信号は、Ｄ／Ａ変換器２８でアナログ信号に変換され、アナログ信号に変換されたカメラ信号がＶＴＲ３０に出力される。このカメラ信号（時分割多重カメラ信号）は、信号記録回路３０ａによって磁気テープ３２に記録される。
【００２５】
図４を参照して、磁気テープ３２に記録された時分割多重カメラ信号はＶＴＲ３０に含まれる信号再生回路３０ｂによって再生される。再生された時分割多重カメラ信号はドロップアウト補償回路３０ｃでドロップアウトを補償され、Ａ／Ｄ変換器３４を介してコード解読回路３６に与えられる。コード解読回路３６は多重されたコードを解読し、解読結果をマイコン１４に与える。コード解読回路３６を介した時分割多重カメラ信号は、図５に示すモニタ３８に分割表示するために、フィルタ４０で水平方向に１画素おきに間引かれる。なお、垂直方向にその信号を間引かないのは、１フィールド分のカメラ信号に基づいて１／４フレーム分の映像を生成するため、垂直方向のライン数はモニタ３８の１／４のモニタエリアのライン数と一致するからである。
【００２６】
ビデオメモリ４２は、図６に示すようにメモリエリア１〜４からなり、書込コントロール回路４４は、フィルタ４０を介した時分割多重カメラ信号をマイコン１４の指示に従って所定のメモリエリアに書き込む。読出コントロール回路４６はビデオメモリ４２をノンインタレース方式で走査し、すべてのメモリエリア１〜４に格納されたカメラ信号を読み出す。マスク回路４８では、所望の画像のみをモニタ３８に表示するため、マスクコントロール回路５０からの指示に従ってモニタ３８に出力しない画像（カメラ信号）にマスクをかける。つまり、マイコン１４は解読結果に基づいてマスクコントロール回路５０を制御する。一方、マスク回路４８を介したカメラ信号はＤ／Ａ変換器５２でアナログ信号に変換された後、端子Ｓ５からモニタ３８に出力される。
【００２７】
たとえば、ＶＴＲを再生する場合には、オペレータは選択キー２４ａおよびテンキー２４ｂをを操作してカメラ番号および暗証番号を入力する。マイコン１４は、入力された暗証番号と解読結果とに基づいてカメラ番号が正しいかどうかを判断する。つまり、マイコン１４は２０および２１ラインの１３ビット目のデータが“１”であれば、符号化（暗号化）されていると判断する。続いて、２２および２３ラインの１３ビット目のデータが“１”であれば、これに応じて入力された暗証番号と符号化されたカメラ番号との同期をとる。そして、符号化されたカメラ信号から暗証番号を減算し、減算した結果が正しいカメラ番号かどうかを判断する。カメラ番号が正しい場合には、マスクコントロール回路５０を不能化する。一方、カメラ番号が誤っている場合には、マスクコントロール回路５０を能動化する。つまり、マスクコントロール回路５０はマイコン１４からの指示に従ってカメラ信号にマスクをかける。ただし、記録時に暗証番号が多重されてないカメラ信号は、暗証番号の正誤に拘わらず、Ｄ／Ａ変換器４８を介してモニタ３８に出力される。なお、ヘッダが多重されていない場合には、マイコン１４はそのラインのデータは誤りであると判断し、解読結果をキャンセルする。なお、再生時にカメラ番号および暗証番号を入力するようにしたが、記録時に選択したすべてのカメラ番号に同じ暗証番号が設定されている場合には、暗証番号のみを入力すればよい。
【００２８】
この実施例によれば、再生時に入力した暗証番号に基づいてカメラ番号の正誤を判断し、カメラ信号にマスクをかけるので、所望のカメラ信号をモニタに出力することができる。逆にいえば、特定のカメラ信号の再生表示を制限することができる。
【図面の簡単な説明】
【図１】この発明の一実施例の一部を示すブロック図である。
【図２】図１実施例に示すコード多重回路で多重されるコードを示す図解図である。
【図３】図１実施例に示すフィールドメモリからの映像信号および多重されるコードを示す図解図である。
【図４】この発明の一実施例の他の一部を示すブロック図である。
【図５】モニタを示す図解図である。
【図６】ビデオメモリを示す図解図である。
【符号の説明】
１０  …映像信号処理装置
１２  …ビデオスイッチ
１４  …マイコン
２６  …コード多重回路
３０  …ＶＴＲ
３６  …コード解読回路
４８  …マスク回路
５０  …マスクコントロール回路
【図１】
0003568413.tif 000002
【図２】
0003568413.tif 000003
【図３】
0003568413.tif 000004
【図４】
0003568413.tif 000005
【図５】
0003568413.tif 000006
【図６】
0003568413.tif 000007